(57)【要約】      （修正有）【課題】静音式主軸ロック装置の提供。【解決手段】回転動力を具備する機器中の主軸ロック装置であり、座体に取り付けられたロック装置、ロック装置により入力装置に接続されるる入力軸を具え、並びに選択的に該出力軸をロックする構造が形成される。特に、ロック装置の周囲表面に複数の凹溝と凸部が設けられ、該座体の中空部の局部に複数の側方向凹溝と複数の軸方向凹溝があり、且つ複数の環方向弾性部品が該座体の側方向凹溝と該ロック装置の凹溝中に設けられ、これら軸方向凹溝がロック装置中に対応する凸部と嵌合し、複数の減振部品がこれら軸方向凹溝においてこれら凸部に対向する表面に設置され、これら環方向弾性部品と減振部品が十分な振動吸収力と緩衝力を提供し、これによりロック装置の凸部と該座体の衝撃時に発生する騒音と振動を減らす。【選択図】図３
0003111537.tif 000002
【実用新案登録請求の範囲】
【請求項１】
回転動力を具えた工具機中の伝動機構であり、且つ座体中に取り付けられたロック装置と、ロック装置により入力装置と相互に接続された出力軸で構成され、並びに選択的に該出力軸をロックする構造が形成された静音式主軸ロック装置において、
該ロック装置は柱状体とされ、該ロック装置の周囲表面に複数の内に凹んだ凹溝が形成され、各凹溝の間に凸部が形成され、
該座体は中空柱状構造であり、且つ縦方向に貫通中空部が形成され、該中空部が該出力軸に枢設される第１局部と該ロック装置に取り付けられる第２局部とを具え、
該出力軸は柱状構造であり、且つ第１載置部と第２載置部を具え、該第１載置部により該中空部の第１局部に枢設され、第２載置部により該ロック装置に結合され、
該座体の中空部の第２局部が複数の側方向凹溝を具え、これら側方向凹溝が中空部の側壁に形成され、並びにロック装置の凹溝に対応して組み合わされ、これにより収容空間が形成されて環方向弾性部品が取り付けられ、且つ環方向弾性部品の両端が座体の各側方向凹溝とロック装置の凹溝に同時に接触することを特徴とする、静音式主軸ロック装置。
【請求項２】
請求項１記載の静音式主軸ロック装置において、座体の中空部の第２局部に複数の軸方向凹溝が設けられ、これら軸方向凹溝が中空部の軸方向端面に形成され、並びにロック装置の各凸部に対応して組み合わされ、これら凸部が対応する軸方向凹溝中に嵌入し、且つこれら軸方向凹溝の該凸部に対向する表面に減振部品が設けられて十分な振動吸収力を提供することを特徴とする、静音式主軸ロック装置。
【請求項３】
請求項２記載の静音式主軸ロック装置において、減振部品が振動吸収機能を有するゴム材質及びバネ等の弾性部品とされたことを特徴とする、静音式主軸ロック装置。
【請求項４】
請求項１記載の静音式主軸ロック装置において、環方向弾性部品に圧縮可能なバネ部品が使用されたことを特徴とする、静音式主軸ロック装置。
【請求項５】
回転動力を具えた工具機中の伝動機構であり、且つ座体中に取り付けられたロック装置と、ロック装置により入力装置と相互に接続された出力軸で構成され、並びに選択的に該出力軸をロックする構造が形成された静音式主軸ロック装置において、
該ロック装置は柱状体とされ、該ロック装置の周囲表面に複数の内に凹んだ凹溝が形成され、各凹溝の間に凸部が形成され、
該座体は中空柱状構造であり、且つ縦方向に貫通中空部が形成され、該中空部が該出力軸に枢設される第１局部と該ロック装置に取り付けられる第２局部とを具え、
該出力軸は柱状構造であり、且つ第１載置部と第２載置部を具え、該第１載置部により該中空部の第１局部に枢設され、第２載置部により該ロック装置に結合され、
該入力装置の上端が該出力軸の第１載置部に結合され、
該座体の中空部の第２局部が複数の側方向凹溝を具え、該座体の中空部の第２局部が複数の軸方向凹溝を具え、これら軸方向凹溝が中空部の軸方向端面に形成され、並びにロック装置の各凸部に対応して組み合わされ、これら凸部が対応する軸方向凹溝中に嵌入し、且つこれら軸方向凹溝のこれら凸部に対向する表面に減振部品が設けられて十分な振動吸収力を提供することを特徴とする、静音式主軸ロック装置。
【請求項６】
請求項５記載の静音式主軸ロック装置において、減振部品が振動吸収機能を有するゴム材質及びバネ等の弾性部品とされたことを特徴とする、静音式主軸ロック装置。
【考案の詳細な説明】
【技術分野】
【０００１】
本考案は静音式主軸ロック装置に係り、特に、装置中の衝撃を発生可能な表面への弾性片或いは減振構造の取り付けにより騒音を減らしたものに関する。
【背景技術】
【０００２】
周知の動力入力装置、特に電動回転工具機（例えば電気ドリル、電気ドライバー）として使用される電動工具装置中には、多段変速の動力入力装置があり、通常は減速機構を使用して多段変速或いは多段トルクを提供している。一般に、このような減速機構は複数組の遊星式歯車機構で構成され、それは手動機構によりその内部のクラッチあるいは駆動機構が制御されることで、各歯車系中のある部品が固定されるかある部品が駆動され、これにより異なる入力及び出力減速比の機能を達成する。しかし、このような装置は、その機構が運転時に、往々にして多くの部品の間がその相互干渉、相互接触により、特殊な機構運動軌跡或いは制限を達成する。このような機構干渉或いは部品間の相互接触は通常衝撃を発生し、騒音を発生し、このため部品間の経常的な衝撃により寿命が短縮され、さらには騒音の発生により使用者に不快感を与えるか、或いは消費者に不良な印象を与えて購入意欲を削ぐことがある。このため、本考案は前述の周知の動力入力装置に存在する欠点に基づいて改良を加えたものである。なお、本考案中の主軸ロック装置のロック装置による出力軸に対するロックとアンロックのメカニズムは本考案者による特許文献１に記載の技術が運用される。
【０００３】
【特許文献１】台湾特許公告第５８８６８０号明細書
【考案の開示】
【考案が解決しようとする課題】
【０００４】
本考案は静音式主軸ロック装置を利用し、一つ或いは複数の前述の関係技術中の制限及び欠点を解決するものである。
【０００５】
本考案の主要な目的は、静音式主軸ロック装置を提供し、その衝撃を発生しうる各部品の表面間には減振部品を設置して、これにより部品間の衝撃力を減らすと共に、騒音を防止することにある。
【０００６】
本考案のもう一つの目的は、静音式主軸ロック装置を提供し、それに設置した減振部品により、部品間の衝撃力を減らし、部品の使用寿命を延長することにある。
【課題を解決するための手段】
【０００７】
請求項１の考案は、回転動力を具えた工具機中の伝動機構であり、且つ座体中に取り付けられたロック装置と、ロック装置により入力装置と相互に接続された出力軸で構成され、並びに選択的に該出力軸をロックする構造が形成された静音式主軸ロック装置において、
該ロック装置は柱状体とされ、該ロック装置の周囲表面に複数の内に凹んだ凹溝が形成され、各凹溝の間に凸部が形成され、
該座体は中空柱状構造であり、且つ縦方向に貫通中空部が形成され、該中空部が該出力軸に枢設される第１局部と該ロック装置に取り付けられる第２局部とを具え、
該出力軸は柱状構造であり、且つ第１載置部と第２載置部を具え、該第１載置部により該中空部の第１局部に枢設され、第２載置部により該ロック装置に結合され、
該座体の中空部の第２局部が複数の側方向凹溝を具え、これら側方向凹溝が中空部の側壁に形成され、並びにロック装置の凹溝に対応して組み合わされ、これにより収容空間が形成されて環方向弾性部品が取り付けられ、且つ環方向弾性部品の両端が座体の各側方向凹溝とロック装置の凹溝に同時に接触することを特徴とする、静音式主軸ロック装置としている。
請求項２の考案は、請求項１記載の静音式主軸ロック装置において、座体の中空部の第２局部に複数の軸方向凹溝が設けられ、これら軸方向凹溝が中空部の軸方向端面に形成され、並びにロック装置の各凸部に対応して組み合わされ、これら凸部が対応する軸方向凹溝中に嵌入し、且つこれら軸方向凹溝の該凸部に対向する表面に減振部品が設けられて十分な振動吸収力を提供することを特徴とする、静音式主軸ロック装置としている。
請求項３の考案は、請求項２記載の静音式主軸ロック装置において、減振部品が振動吸収機能を有するゴム材質及びバネ等の弾性部品とされたことを特徴とする、静音式主軸ロック装置としている。
請求項４の考案は、請求項１記載の静音式主軸ロック装置において、環方向弾性部品に圧縮可能なバネ部品が使用されたことを特徴とする、静音式主軸ロック装置としている。
請求項５の考案は、回転動力を具えた工具機中の伝動機構であり、且つ座体中に取り付けられたロック装置と、ロック装置により入力装置と相互に接続された出力軸で構成され、並びに選択的に該出力軸をロックする構造が形成された静音式主軸ロック装置において、
該ロック装置は柱状体とされ、該ロック装置の周囲表面に複数の内に凹んだ凹溝が形成され、各凹溝の間に凸部が形成され、
該座体は中空柱状構造であり、且つ縦方向に貫通中空部が形成され、該中空部が該出力軸に枢設される第１局部と該ロック装置に取り付けられる第２局部とを具え、
該出力軸は柱状構造であり、且つ第１載置部と第２載置部を具え、該第１載置部により該中空部の第１局部に枢設され、第２載置部により該ロック装置に結合され、
該入力装置の上端が該出力軸の第１載置部に結合され、
該座体の中空部の第２局部が複数の側方向凹溝を具え、該座体の中空部の第２局部が複数の軸方向凹溝を具え、これら軸方向凹溝が中空部の軸方向端面に形成され、並びにロック装置の各凸部に対応して組み合わされ、これら凸部が対応する軸方向凹溝中に嵌入し、且つこれら軸方向凹溝のこれら凸部に対向する表面に減振部品が設けられて十分な振動吸収力を提供することを特徴とする、静音式主軸ロック装置としている。
請求項６の考案は、請求項５記載の静音式主軸ロック装置において、減振部品が振動吸収機能を有するゴム材質及びバネ等の弾性部品とされたことを特徴とする、静音式主軸ロック装置としている。
【考案の効果】
【０００８】
本考案は一種の静音式主軸ロック装置を提供し、それは、回転動力を具えた工具機中の主軸ロック装置であり、且つ座体中に取り付けられたロック装置と、ロック装置により入力装置に接続されるる入力軸を具え、並びに選択的に該出力軸をロックする構造が形成されている。それは本考案者による特許文献１に記載の主軸ロック装置の技術を利用し、且つ座体にあって該ロック装置を収容する中空部の局部中に複数の環方向弾性部品と複数の減振部品が設けられて該ロック装置の周囲表面と該座体の中空部内表面の接続構造の間隙に発生しうる衝撃力或いは振動を減らす。
【考案を実施するための最良の形態】
【０００９】
図１は本考案の静音式主軸ロック装置の好ましい実施例を示す。図２は図１の側面断面図である。
【００１０】
図１及び図２には回転動力を具えた工具機中の伝動機構が示され、且つそれは座体２中に取り付けられたロック装置１、及びロック装置１を介して相互に接続された出力軸３と入力装置４で構成されている。
【００１１】
前述の静音式主軸ロック装置中、該ロック装置１は柱状体とされ、その中央部分に軸体１１が枢設され、且つ該ロック装置１の周囲に複数の内に凹んだ凹溝１２が形成され、並びにこれにより外向きに突出する凸部１３が形成され、該軸体１１の中心部分を貫通するように角孔１１ａが形成され、且つ該角孔１１ａの側壁にスライド自在に複数の円柱体１１ｂが設置され、これら円柱体１１ｂの軸方向は該出力軸３に平行であり、且つ該出力軸３が回転する時、これら円柱体１１ｂに接触して選択的に該ロック装置１中の該軸体１１と枢設された枢設面に接触する。
【００１２】
前述の本考案の静音式主軸ロック装置中、該座体２は中空柱状構造であり、且つその縦方向を貫通するように中空部２１が形成され、該中空部２１は該出力軸３に枢設される第１局部２１ａを具え、且つ該中空部２１は該ロック装置１に取り付けられる第２局部２１ｂを具えている。
【００１３】
前述の本考案の静音式主軸ロック装置中、該出力軸３は柱体構造であり、且つ第１載置部３１と第２載置部３２を具え、並びに第１載置部３１により該中空部２１の第１局部２１ａに枢設され、第２載置部３２により該ロック装置１に結合される。
【００１４】
前述の本考案の静音式主軸ロック装置中、該入力装置４の上端は出力軸３の第１載置部３１に結合される。
【００１５】
前述の出力軸３の第２載置部３２は多角形断面を呈するよう形成され、該ロック装置１の角孔１１ａの断面輪郭は第２載置部３２の断面輪郭が特定角度回転することにより描かれる軌跡とされる。例えばある実施例によると、該出力軸３の第２載置部３２は三角形断面に形成され、該ロック装置１の角孔１１ａの断面輪郭は該第２載置部３２の三角形断面輪郭が特定角度回転することで描かれる軌跡とされ、三角菱形状輪郭が形成される。そのうち、該ロック装置１は角孔１１ａ中の円柱体１１ｂにより、選択的に該出力軸３のロック或いはロック解除を達成し、このメカニズムは本考案者による特許文献１に記載の技術であるため、詳細な説明は省略する。
【００１６】
図３は本考案の静音式主軸ロック装置の好ましい実施例の局部部品透視図である。図４は本考案の静音式主軸ロック装置の好ましい実施例の局部部品底面図である。図５は本考案の静音式主軸ロック装置の好ましい実施例の局部部品横断面図である。
【００１７】
図３、４、５を参照されたい。座体２の中空部２１の第２局部２１ｂは複数の側方向凹溝２１ｃと複数の軸方向凹溝２１ｄを具え、そのうち、これら側方向凹溝２１ｃは中空部２１の側壁に形成され、並びにロック装置１の各凹溝１２に対応し組み合わされ、これによりそれぞれ収容空間を形成して環方向弾性部品５の取り付けに供され、且つ該環方向弾性部品５は両端が同時に座体２の各側方向凹溝２１ｃと該ロック装置１の各凹溝１２に接触し、環方向の弾性力を提供し、ロック装置１が座体２の第２局部２１ｂに対して回転する時、該環方向弾性部品５が該ロック装置１に十分な緩衝力を提供し、及び、これら軸方向凹溝２１ｄが中空部２１の軸方向端面に形成され、並びに該ロック装置１の各凸部１３に対応し組み合わされ、これによりこれら凸部１３が対応する軸方向凹溝２１ｄ内周面４１中に嵌入し、且つこれら軸方向凹溝２１ｄがそれぞれ該凸部１３に対向する表面に減振部品６を具え、これによりロック装置１が座体２の第２局部２１ｂに対して回転する時、これら減振部品６が十分な振動吸収力を提供し、該ロック装置１の凸部１３と該座体２の衝撃時に発生する騒音を減らす。
【００１８】
前述の環方向弾性部品５は圧縮可能なバネ部品を選択使用可能で、且つこれら減振部品６は振動吸収効果を有するゴム材質及びバネ等の弾性部品とされうる。
【００１９】
前述の本考案の静音式主軸ロック装置の好ましい実施例により、該工具機のロック装置１がその軸体１１に固定される時、該軸体１１は該ロック装置１を駆動可能となり、これにより該ロック装置１が座体２の中空部２１と環方向の相対運動を発生可能となる。しかし該環方向弾性部品５と減振部品６の作用によりその衝撃力が減らされ、これによりその発生する振動と騒音が減らされる。
【００２０】
以上は本考案の好ましい実施例の説明であって、本考案の実施範囲を限定するものではなく、以上の説明及び図面の記載に基づきなしうる細部の修飾或いは改変は、いずれも本考案の請求範囲に属するものとする。
【図面の簡単な説明】
【００２１】
【図１】本考案の静音式主軸ロック装置の好ましい実施例図である。
【図２】図１の側面断面図である。
【図３】本考案の静音式主軸ロック装置の好ましい実施例の局部部品透視図である。
【図４】本考案の静音式主軸ロック装置の好ましい実施例の局部部品底面図である。
【図５】本考案の静音式主軸ロック装置の好ましい実施例の局部部品横断面図である。
【符号の説明】
【００２２】
１  ロック装置
１１  軸体
１１ａ  角孔
１１ｂ  円柱体
１２  凹溝
１３  凸部
２  座体
２１  中空部
２１ａ  第１局部
２１ｂ  第２局部
２１ｃ  側方向凹溝
２１ｄ  軸方向凹溝
３  出力軸
３１  第１載置部
３２  第２載置部
４  入力装置
５  環方向弾性部品
６  減振部品
【図１】
0003111537.tif 000003
【図２】
0003111537.tif 000004
【図３】
0003111537.tif 000005
【図４】
0003111537.tif 000006
【図５】
0003111537.tif 000007